(57)【要約】【課題】  読取装置のフレームやガラスの歪み等によって画像の輝度が不均一になるのを防ぎ、安定した画像として読み取る事が出来る画像読取装置の提供を目的とする。【解決手段】  画像読取手段で基準原稿から読み取った領域の輝度値を、所定数に分割した各領域の輝度値で記憶する輝度値記憶手段を有し、輝度値記憶手段で記憶している分割した各領域の輝度値から平均輝度値を算出し、平均輝度値と分割した各領域の輝度値との差分を補正値とし、その後の画像読み取り処理時に、分割した各領域毎に読み取った輝度値を補正値で補正する。【選択図】  図６
2008131171.tif 000002
【特許請求の範囲】
【請求項１】
画像を読み取る画像読取手段を備えた画像読取装置において、前記画像読取手段で基準原稿から読み取った領域の輝度値を、所定数に分割した各領域の輝度値で記憶する輝度値記憶手段を有し、前記輝度値記憶手段で記憶している分割した各領域の輝度値から平均輝度値を算出し、前記平均輝度値と分割した各領域の輝度値との差分を補正値とし、その後の画像読み取り処理時に分割した各領域毎に読み取った輝度値を前記補正値で補正することを特徴とする画像読取装置。
【請求項２】
前記基準原稿は、前記画像読取手段から読み取る領域より大きく全領域の画像濃度が均一であることを特徴とする請求項１に記載の画像読取装置。
【発明の詳細な説明】
【技術分野】
【０００１】
本発明は、イメージセンサを用いた画像読取装置に関する。  
【背景技術】
【０００２】
一般に、画像処理装置において原稿を画像入力装置で読み取って電気信号に変換し、この信号に対して画像処理を行った後、レーザープリンタ等の出力装置により画像として記録される事が知られている。
【０００３】
このような画像入力装置で使用されている固体撮像素子等の光電変換素子で得られた画像信号は、ランプ照度の不均一、光電変換素子の各画素間の感度バラツキ等により一定濃度の画像を読み取ったとしても信号レベルは同一にはならない。
【０００４】
このような現象のために従来は、白色基準板を原稿ガラス付近に設けて、得られた画像信号をＳＲＡＭ等の記憶素子に記憶させこのデータを元に画像信号の補正を行っていた。
【０００５】
記憶素子に記憶する際には、複数ラインのデータを各画素に加算して記憶し、その後に平均化処理を行ってデータバラツキを少なくしていた。
【０００６】
【特許文献１】特開平7−28981号公報
【発明の開示】
【発明が解決しようとする課題】
【０００７】
しかしながら、従来のこの種の方法では白色基準板を読み取った時の不均一性には効果があるものの、イメージセンサを動かして原稿を読み取る際、読取装置のフレームや原稿台ガラスが歪んでいる場合等には、均一な濃度の原稿を読み取っても読み取った画像データの輝度は均一にはならずに場所によって輝度が大きく違う等の弊害が出る可能性が考えられる。
【０００８】
そこで、本発明は、読取装置のフレームやガラスの歪み等によって画像の輝度が不均一になるのを防ぎ、安定した画像として読み取る事が出来る画像読取装置の提供を目的とする。
【課題を解決するための手段】
【０００９】
請求項１の発明は、画像を読み取る画像読取手段を備えた画像読取装置において、前記画像読取手段で基準原稿から読み取った領域の輝度値を、所定数に分割した各領域の輝度値で記憶する輝度値記憶手段を有し、前記輝度値記憶手段で記憶している分割した各領域の輝度値から平均輝度値を算出し、前記平均輝度値と分割した各領域の輝度値との差分を補正値とし、その後の画像読み取り処理時に分割した各領域毎に読み取った輝度値を前記補正値で補正することを特徴とする画像読取装置。
【００１０】
請求項２の発明は、請求項１の画像読取装置において、前記基準原稿は、前記画像読取手段から読み取る領域より大きく全領域の画像濃度が均一であることを特徴とする。
【発明の効果】
【００１１】
以上、説明したように、読取装置の原稿台ガラスの有効読取領域以上の大きさの濃度が一様な濃度基準物をあらかじめ読み取り、読み取った画像データを記憶装置に記憶させ、そのデータの平均輝度値と各領域毎の輝度値の差を補正値として設定する。
【００１２】
その後画像を読み取った際、前記補正値を用いて画像の各領域に補正処理をかけることにより、原稿台ガラスの歪み等、物理的要因を取り除いた安定した画像を提供することが出来る。
【発明を実施するための最良の形態】
【００１３】
下記に本発明の実施形態を図面にて詳細に説明する。
【実施例】
【００１４】
図１は、本発明の第１実施例による画像処理装置の構造を示す断面図である。
１は原稿給送手段となる原稿給送装置であり、載置された原稿を１枚ずつ、あるいは２枚連続に原稿台ガラス面２上の所定位置に給送する。
【００１５】
３はランプ、走査ミラー５等で構成されるスキャナーであり、原稿給送装置１により原稿台ガラス面２に載置されると、スキャナー本体が所定方向に往復走査される。原稿反射光は走査ミラー５〜７を介してレンズ８を通過して、イメージセンサ部９に結像する。入力された反射光は色分解されて、電気信号に変換され、この原稿読み取り信号に対して種々の画像処理が行われる。
【００１６】
１０はレーザースキャナーで構成される露光制御部で、コントローラ部ＣＯＮＴの画像信号制御部４３（図３参照）から出力される画像データに基づいて変調された光ビームを像担持体である感光ドラム１１に照射する。
【００１７】
１２，１３は現像器で、感光ドラム１１に形成された静電潜像を所定色の現像剤（トナー）で可視化する。１４，１５は記録材積載部で、定形サイズの記録材が積載収納され、給送ローラの駆動によりレジスト配設位置まで給送され、感光ドラム１１に形成される画像との画像先端合わせタイミングをとられた状態で再給紙される。
【００１８】
１６は転写分離帯電器で、感光ドラム１１に現像されたトナー像を記録材に転写した後、感光ドラム１１より分離して搬送ベルトを介して定着器１７で定着される。１８は排紙ローラで、画像形成された記録材を排紙トレイ２０に排出する。１９は方向フラッパーで画像形成された記録材の搬送方向を排紙口と内部搬送路方向に切り換えられ、多重／両面画像形成プロセスに備える。
【００１９】
図２は、ＣＣＤ３１を示すものである。図２において３２は固体撮像素子の基板、３３，３４，３５はそれぞれＲ，Ｇ，Ｂの各色に対応する固体撮像素子アレイであり、固体撮像素子３６がアレイ状に配置されている。
【００２０】
３７，３８は、３ラインアレイの間隔を示している。Ｒ（レッド），Ｇ（グリーン），Ｂ（ブルー）の３原色に対応する３ラインセンサ間隔は、画角に対して決定される。
【００２１】
図３は、図１に示したコントローラ部ＣＯＮＴの回路構成を説明するブロック図であり、４５はＣＰＵ（中央演算処理ユニット）回路部で、ＲＯＭ（リードオンリメモリ）４６、ＲＡＭ（ランダムアクセスメモリ）４７を内蔵し、ＲＯＭ４６に記憶された制御プログラムに基づいて各部を総括的に制御する。
【００２２】
４１は原稿自動給送装置制御部で、載置された原稿を１枚づつ、あるいは２枚連続に原稿台ガラス２面上の所定位置に給送するなどの制御をする。
【００２３】
４２はイメージリーダで、上記イメージセンサ部９などより構成され色分解され光電変換されたアナログ画像信号を画像制御回路４３に出力する。
【００２４】
４４はプリンタで、画像制御回路４３から出力されるビデオ信号に基づいて露光制御部１０を駆動して光ビームを感光ドラム１１に照射する。また、４８は操作部で画像形成に必要なモードの設定のためのキー、表示器等を有する操作パネルが設けられている。
【００２５】
画像読取装置で原稿台ガラス上の基準原稿の有効読取領域以上の大きさをもつ、濃度が均一の画像の輝度値をあらかじめ読み取り、輝度値の画像データを輝度値記憶手段に一旦記憶させる。次に輝度値記憶手段に記憶させた画像データの輝度値を図４に示したように全体の輝度値を所定に分割した領域の数で割った値で平均輝度値を求める。
【００２６】
次に輝度値の補正値を求めるために図５のように平均輝度値と分割した各領域の輝度値との差分を求める。
【００２７】
そしてその差分を図６に示すように各領域の補正値として設定し、実際に画像を読み取った際、読み取った画像データの各領域に対して前記補正値を各領域毎に補正処理をかけるようにしたものである。
【００２８】
以上の実施例では基準原稿を所定数で分割した領域での単位で説明しているが、基準原稿の一画素単位においての各画素毎の輝度値を読み取った補正の方法で行ってもよい。
【００２９】
これにより原稿台ガラスが場所によって歪む等、物理的要因により画像の輝度が不安定になる等の要因を防ぎ、安定した画像を提供することが出来る。
【図面の簡単な説明】
【００３０】
【図１】本発明の画像処理装置の構造を示す断面図。
【図２】CCDの構成を示した斜視図。
【図３】コントローラ部の回路構成を示すブロック図。
【図４】本発明の平均輝度値を求める式と基準原稿各領域を示す図。
【図５】本発明の各領域の補正値を求める際の各領域の輝度値を示す図。
【図６】本発明の各領域における補正値を示した図。
【符号の説明】
【００３１】
１  原稿給送装置
２  原稿ガラス面
３  ランプ
４  スキャナー
５、６、７  走査ミラー
８  レンズ
９  イメージセンサ部
１０  露光制御部
１１  感光ドラム（像担持体）
１２、１３  現像器
１４、１５  記録材積載部
１６  転写分離帯電器
１７  定着器
１８  排紙ローラ
１９  方向フラッパー
２０  排紙トレイ
３１  ＣＣＤ
３２  固体撮像素子基板
３３  固体撮像アレイＲ
３４  固体撮像アレイＧ
３５  固体撮像アレイＢ
３６  固体撮像素子
４１  原稿自動給送装置制御部
４２  イメージリーダ
４３  画像信号制御部
４４  プリンタ制御部
４５  ＣＰＵ回路部
４６  ＲＯＭ
４７  ＲＡＭ
４８  操作部
【図１】
2008131171.tif 000003
【図２】
2008131171.tif 000004
【図３】
2008131171.tif 000005
【図４】
2008131171.tif 000006
【図５】
2008131171.tif 000007
【図６】
2008131171.tif 000008